(57)【要約】【課題】本発明はレンズを鏡筒に一体化したレンズユニットにおいて、その生産性を高めることを目的とする。【解決手段】レンズユニットを形成する鏡筒７に設けられる調芯孔１０と接着孔１１とを貫通孔６の周回方向に沿って並設するとともに、調芯孔１０の延伸方向と接着孔１１の延伸方向が平行となるように設定した構成により、それぞれの孔径が確保しやすくなり作業性が向上できるのでレンズユニットの生産性が向上できるのである。【選択図】図２
2006138914.tif 000002
【特許請求の範囲】
【請求項１】
貫通孔を有する鏡筒と、前記貫通孔内に配置されたレンズとからなり、前記鏡筒に前記貫通孔の内周面から前記鏡筒の外周面に至る前記レンズの光軸調整用の調芯孔と前記レンズを前記鏡筒に固定するための接着孔を設け、前記調芯孔と前記接着孔とを前記貫通孔の周回方向に沿って並設するとともに、前記調芯孔の延伸方向と前記接着孔の延伸方向が平行となるように設定したことを特徴とするレンズユニット。
【請求項２】
調芯孔を貫通孔の中心に向けてその延伸方向を設定したことを特徴とする請求項１に記載のレンズユニット。
【発明の詳細な説明】
【技術分野】
【０００１】
本発明は、レンズを鏡筒に固定したレンズユニットに関する。
【背景技術】
【０００２】
近年、カメラ付き携帯電話のように本機能に対して付加的に取り付けられるレンズユニットは、図４に示されるように外部機器に取り付けるための鏡筒１にレンズ２を一体化した構成が用いられている。
【０００３】
そして、このようなレンズユニットは、鏡筒１に設けられた貫通孔内にレンズ２を挿入し、このレンズ２を調芯した状態において鏡筒１に接着固定するものであり、従来のレンズユニットはレンズ２の外周側面に対応した位置にレンズ２を調芯するための調芯孔３が設けられ、この調芯孔３に調整ピン４を挿入して調芯を行い、この調芯孔３からレンズ２の厚み方向にズレた位置にレンズ２を固定するための接着剤を流入させる接着孔５が配置されていた。
【０００４】
なお、この出願の発明に関連する先行技術文献情報としては、例えば、特許文献１が知られている。
【特許文献１】特開平７−５３５２号公報
【発明の開示】
【発明が解決しようとする課題】
【０００５】
しかしながら、カメラ付き携帯電話のようなレンズユニットを用いるモバイル機器においては、機器自体の薄型化が命題となっていることからこのレンズユニットに対しても必然的に薄型化要望が高まっており、先に述べたようなレンズ２の厚み方向において調芯孔３と接着孔５を並設するにしても、レンズ厚が薄くなるにつれて孔径が非常に小さくなってしまうことから、調整ピン４による調芯や接着剤の流入及びその固化が非常に困難なものとなってしまうという問題があった。
【０００６】
そこで、本発明はこのような問題を解決し、レンズユニットにおける生産性の向上を目的とする。
【課題を解決するための手段】
【０００７】
この目的を達成するために本発明は、特にレンズユニットを形成する鏡筒に設けられる調芯孔と接着孔とを貫通孔の周回方向に沿って並設するとともに、調芯孔の延伸方向と接着孔の延伸方向が平行となるように設定したのである。
【発明の効果】
【０００８】
この構成により本発明のレンズユニットは、調芯孔と接着孔が貫通孔の周回方向つまりレンズ外周面に沿って並設されるため、それぞれの孔径が確保しやすくなり作業性が向上できるのでレンズユニットの生産性が向上できるのである。
【発明を実施するための最良の形態】
【０００９】
以下、本発明の一実施形態について図を用いて説明する。
【００１０】
図１はレンズユニットの断面図であり、貫通孔６を有する樹脂製の鏡筒７と、貫通孔６に挿入固定された２枚のレンズ８とで形成され、貫通孔６内に設けられた段差部分にレンズ８の外周部分が当接することで挿入量が規定される構成となっており、主としてカメラ付き携帯電話などの小型な固体撮像系に用いられるものである。
【００１１】
そして、このレンズユニットにおいては図２に示されるように、鏡筒７の外周部分から調整ピン９を挿入しレンズ８を調芯するための調芯孔１０と、調整ピン９によって調芯されたレンズ８を鏡筒７に接続固定する接着剤（図示せず）を流入させる接着孔１１とが設けられており、図１に示されるように鏡筒７にレンズ８を挿入し、その後、調整ピン９を調芯孔１０から挿入しレンズ８を調芯し、調芯されたレンズ８を調整ピン９で固定した状態において接着孔１１から接着剤を流入させ固化し、その後、調整ピン９を外すことで精度の良いレンズユニットを作成する構成となっている。
【００１２】
また、このレンズユニットにおいては調芯孔１０と接着孔１１が、レンズ８の外周側面に対応する位置においてレンズ８を挿入する貫通孔６の周回方向に沿って並設されており、図４に示された従来の厚み方向に並設したものと異なり、調芯孔１０と接着孔１１の孔径がそれぞれレンズ８の厚み範囲内で設定できるため、調整ピン９を用いた調芯作業や接着孔１１からの接着剤の流し込み作業及びその固化作業が容易となり、結果としてレンズユニットの生産性が高められた構造となっている。
【００１３】
また、このレンズユニットにおいては調芯孔１０が貫通孔６の周回方向において鏡筒７を３分割する位置にそれぞれ設けられ、各調芯孔１０に対して接着孔１１が並設されており、一対の調芯孔１０と接着孔１１においてそれぞれの延伸方向が平行になるように配置している。
【００１４】
この構成によれば、図３に示されるような金型１２を用いて鏡筒７を形成した場合においても、鏡筒７の外形を形成する外側の分割金型１３のそれぞれに対して調芯孔１０と接着孔１１を形成する棒状突起１４を並設することから、それぞれの棒状突起１４の延伸方向が平行となり、この金型１２を用いて鏡筒７を成形して型割作業をする際、先に述べた分割金型１３を棒状突起１４の延伸方向に引き出すことにより形成できるので、それぞれの棒状突起１４毎に分割する通常の金型構造に比べ分割数を削減でき、結果としてレンズユニットの生産性がより高められる構造となっているのである。
【００１５】
また、図２に示されるように、貫通孔６の周回方向において３分割する位置に設けられた調芯孔１０及び接着孔１１は、調芯孔１０の延伸方向が貫通孔６の中心つまりレンズ８の光軸１５を向くように設定してあり、この調芯孔１０に対して接着孔１１が並設された構造となっている。
【００１６】
この構造によれば、それぞれの調芯孔１０は鏡筒７の外周面に対して垂直に形成されるため孔の長さが最短となり調整ピン９による調芯幅が確保しやすく、さらにそれぞれの接着孔１１は鏡筒７の外側に位置する流入側の開口面および鏡筒７の内側に位置する流出側の開口面が楕円形状となり、その開口面積が調芯孔１０の開口面積より広く設定されるため、接着剤の流入が容易になるとともに、接着孔１１の延伸方向がレンズ８の外周側面に対して傾斜するため、接着孔１１から流入された接着剤がレンズ８の外周側面に対する回り込みが良くなり、鏡筒７とレンズ８との接着がより強固なものとなり、結果としてレンズユニットの信頼性が高められるのである。
【００１７】
なお、この実施形態においてはレンズ８を３方向からの調芯を例に挙げて説明したが、さらに多方向からの調芯を取り入れた構成としても同様の効果を奏することができる。
【産業上の利用可能性】
【００１８】
以上のように本発明のレンズユニットは、その生産性が高められるという効果を有し、小型高性能なコンパクトデジタルカメラやモバイルカメラ等に代表される各種電子機器の撮像素子の用途として有用である。
【図面の簡単な説明】
【００１９】
【図１】本発明の一実施形態におけるレンズユニットを示す断面図
【図２】同レンズユニットの調芯孔及び接着孔の配置を示す横断面図
【図３】同レンズユニットを形成する鏡筒を作成する金型の模式図
【図４】従来のレンズユニットを示す断面図
【符号の説明】
【００２０】
６  貫通孔
７  鏡筒
８  レンズ
１０  調芯孔
１１  接着孔
【図１】
2006138914.tif 000003
【図２】
2006138914.tif 000004
【図３】
2006138914.tif 000005
【図４】
2006138914.tif 000006